(57)【要約】      （修正有）【課題】上下の方向性のある絵柄の旗材であっても、紐を用いて水平方向にも垂直方向にも展示することが出来、またその変更も容易にできるガーランドを提供する。【解決手段】複数のシート状の旗材３を紐で繋いだガーランドにおいて、旗材の頂部６と底部７に紐を固定できる係止部８、９を有し、底部の係止部９は、紐が通る貫通孔と、旗材３の外周から貫通孔に至る切り込みを有する構造である。また、旗材３は、一枚のシート状物を頂部６において二つ折りにした、二枚の面材４、５から構成される。【選択図】図３
0003209973.tif 000002
【実用新案登録請求の範囲】
【請求項１】
複数のシート状の旗材を紐で繋いだガーランドにおいて、旗材の頂部と底部に紐を固定できる係止部を有し、底部の係止部は、紐の途中を引掛けることのできる構造であることを特徴とするガーランド。
【請求項２】
前記頂部の係止部も、紐の途中を引掛けることのできる構造であることを特徴とする請求項１に記載のガーランド。
【請求項３】
前記旗材は、一枚のシート状物を頂部において二つ折りにした、二枚の面材から構成されることを特徴とする請求項１または２に記載のガーランド。
【請求項４】
前記係止部は、前記二つ折りにした旗材の一方の面材の頂部と他方の面材の底部に設けられていることを特徴とする請求項３に記載のガーランド。
【考案の詳細な説明】
【技術分野】
【０００１】
本考案は、イベント会場やパーティー会場などにおいて使用されるガーランドに関し、特に通常の水平方向の展示の他に、垂直方向の展示も可能なガーランドに関する。
【背景技術】
【０００２】
従来、イベント会場やパーティー会場において、紐を水平に張りめぐらして、この紐に国旗やペナントなどの旗材を吊るして飾り付けた装飾物がガーランドと称して広く用いられている。
ガーランドは、通常紐を水平あるいは斜めに張って用いるものであるが、我が国には従来から、旗のぼりや、鯉のぼりのように紐を垂直方向に張って、この紐に旗材を取り付けて展示する習慣がある。このためもあり、また設置場所の都合などによってガーランドを垂直にも展示したいという要望があった。
【０００３】
しかし通常の水平張りのガーランドを単純に垂直に張ると、個々の旗材が垂れ下がって著しく外観を損ねる結果となるばかりでなく、個々の旗材に上下の方向性がある場合には、例えば文字が読み難くなる等の問題があった。
【０００４】
特許文献１に記載された連吊型旗のぼりは、垂直な支柱と支柱の上端に取付けられた水平な吊下桿に、留めリングによって連結された複数の単位旗材を取付けたものである。
【０００５】
特許文献１に記載された連吊型旗のぼりは、個々の旗材に、上下左右４方向に連結可能な構造をとることにより、留めリングによって旗材を横方向に連結することも可能となり、例えば旗材を上下左右に連結して面状の装飾物を構成することもできるものである。しかし、特許文献１に記載された連吊型旗のぼりは、あくまで旗のぼりの変形型であって、ガーランドではないため、そのまま水平に展示することはできない。
この複数の単位旗材を留めリングによって連結するという方法をガーランドに取り入れれば、水平方向にも垂直方向にも展示することは可能であるが、この方法によると、紐を張る方法に比較して作業性が著しく劣るばかりでなく、横方向に繋いだ旗材を縦方向に変更する際には、一旦すべての留めリングを外して接続し直す必要があり膨大な手間を要するものである。
【先行技術文献】
【特許文献】
【０００６】
【特許文献１】特開平８−３３５０５２号公報
【考案の概要】
【考案が解決しようとする課題】
【０００７】
本考案の解決しようとする課題は、上下の方向性のある絵柄の旗材であっても、紐を用いて水平方向にも垂直方向にも展示することが出来、またその変更も容易にできるガーランドを提案するものである。
【課題を解決するための手段】
【０００８】
上記の課題を解決するための手段として、請求項１に記載の考案は、複数のシート状の旗材を紐で繋いだガーランドにおいて、旗材の頂部と底部に紐を固定できる係止部を有し、底部の係止部は、紐の途中を引掛けることのできる構造であることを特徴とするガーランドである。
【０００９】
また、請求項２に記載の考案は、前記頂部の係止部も、紐の途中を引掛けることのできる構造であることを特徴とする請求項１に記載のガーランドである。
【００１０】
また、請求項３に記載の考案は、前記旗材が、一枚のシート状物を頂部において二つ折りにした、二枚の面材から構成されることを特徴とする請求項１または２に記載のガーランドである。
【００１１】
また、請求項４に記載の考案は、前記係止部が、前記二つ折りにした旗材の一方の面材の頂部と他方の面材の底部に設けられていることを特徴とする請求項３に記載のガーランドである。
【考案の効果】
【００１２】
本考案に係るガーランドは、シート状の旗材の頂部と底部に紐を固定できる係止部を有するので、旗材を水平に展示する場合には頂部の係止部のみを使用し、垂直に展示する場合には、頂部と底部の両方の係止部を利用することによっていずれの展示方法にも対応することができる。
【００１３】
底部の係止部は、紐の端部を通す構造ではなく、紐の途中を引掛けることのできる構造であるから、水平方向の展示から、垂直方向の展示への変更が容易に可能である。
【００１４】
請求項２に記載の考案のように頂部の係止部も、紐の途中部分を引掛けることのできる構造とした場合には、旗材の追加や削除が容易に可能となる。
【００１５】
請求項３に記載の考案のように、旗材が一枚のシート状物を頂部において二つ折りにした二枚の面材から構成されるものである場合には、垂直方向に展示した場合に紐を二枚の面材の間に通すことにより、紐を隠すことができ、展示効果が良好となる。
【００１６】
請求項４に記載の考案のように、係止部が、二つ折りにした旗材の一方の面材の頂部と他方の面材の底部に設けられている場合には、垂直方向に展示した場合に二枚の面材が紐の張力によって密着しようとするため、二枚の面材を接着する必要がなくなる。
【図面の簡単な説明】
【００１７】
【図１】図１は、本考案に係るガーランドの一実施態様を水平に展示した状態を示した模式図である。
【図２】図２は、図１に示したガーランドを垂直に展示した状態を示した模式図である。
【図３】図３は、本考案に係るガーランドの他の実施態様における旗材の展開図である。
【図４】図４は、図３に示した旗材を垂直に展示した状態を示した断面模式図である。
【考案を実施するための形態】
【００１８】
以下図面を参照しながら本考案に係るガーランドについて説明する。図１は、本考案に係るガーランド１の一実施態様を水平に展示した状態を示した模式図である。本考案に係るガーランドは、複数のシート状の旗材３を紐２で繋いだガーランドであり、旗材３の頂部６と底部７にそれぞれ紐２を固定できる上係止部８と下係止部９を有する。底部の下係止部９は、紐２の先端を通すのではなく、紐の途中を引掛けることのできる構造であることを特徴とする。
【００１９】
図１に示した実施態様においては、係止部の構造は、紐２がやっと通る程度の小さい貫通孔と、旗材の外周からこの貫通孔に至る切り込みから成っている。係止部がこのような構造であると、貫通孔に対して紐の先端を通さなくても、紐の途中部分を引掛けることができる。
【００２０】
このため、紐２を張った後でも、旗材３を追加したり、削除したりすることが容易に可能となる。なお、上係止部８については、必ずしもこのように紐の途中を引掛けることのできる構造である必要はなく、例えば切り込みのない単なる貫通孔であっても良い。
【００２１】
紐２の材質としては、綿、麻等の天然素材や、ポリプロピレン、ビニロン、ナイロン等の合成樹脂素材等、特に限定されない。
【００２２】
旗材３の材質としては、アート紙、コート紙、段ボール、プラスチックシートなど、シート状の材料であれば特に限定されない。
【００２３】
図２は、図１に示したガーランド１を垂直に展示した状態を示した模式図である。図１の状態から、このような状態に変更するには、紐２を垂直に張り、それぞれの旗材３の下係止部９を紐２に引掛けるだけの極めて簡単な操作で済む。
【００２４】
下係止部９の構造については、紐を引掛けることのできる構造でありさえすれば、特に限定されないが、図２に示したような貫通孔と切り込みによるものは、安価に作成できるので、好ましい。
【００２５】
図３は、本考案に係るガーランド１の他の実施態様における旗材３の展開図である。この例では、旗材３が、一枚のシート状物を頂部６において二つ折りにした、二枚の面材から構成されていることを特徴とする。すなわち面材Ａ（４）と面材Ｂ（５）とが、折曲部１０において連設されている。
【００２６】
このような構成とすることで、垂直方向に展示した時に紐を２枚の面材の間に通すことができるため、外観的に優れたものとなる。また、表裏面の絵柄を異なるものとすることも可能となる。
【００２７】
また、この例では、二つ折りにした旗材の一方の面材（面材Ａ）４の頂部に上係止部８が設けられており、他方の面材（面材Ｂ）５の底部に下係止部９が設けられている。このようにすることにより、紐２の張力によって２枚の面材同士がくっつく方向に力が働くため、面材同士を接着したりする必要がなく、旗材が風ではためいたりすることが抑制される。図４は、図３に示した旗材３を垂直に展示した状態を示した断面模式図である。
【００２８】
本考案に係るガーランドは、イベント会場やパーティー会場において用いられる一般的なガーランドとしての用途に限らず、店舗や売場等においてＰＯＰ広告としても利用価値の高いものである。
【符号の説明】
【００２９】
１・・・ガーランド
２・・・紐
３・・・旗材
４・・・面材Ａ
５・・・面材Ｂ
６・・・頂部
７・・・底部
８・・・上係止部
９・・・下係止部
１０・・・折曲部
【図１】
0003209973.tif 000003
【図２】
0003209973.tif 000004
【図３】
0003209973.tif 000005
【図４】
0003209973.tif 000006
【手続補正書】
【提出日】平成29年2月16日(2017.2.16)
【手続補正１】
【補正対象書類名】明細書
【補正対象項目名】０００８
【補正方法】変更
【補正の内容】
【０００８】
上記の課題を解決するための手段として、請求項１に記載の考案は、複数のシート状の旗材を紐で繋いだガーランドにおいて、旗材の頂部と底部に紐を固定できる係止部を有し、底部の係止部は、紐が通る貫通孔と、旗材の外周から貫通孔に至る切り込みを有する構造であることを特徴とするガーランドである。
【手続補正２】
【補正対象書類名】明細書
【補正対象項目名】０００９
【補正方法】変更
【補正の内容】
【０００９】
また、請求項２に記載の考案は、前記頂部の係止部も、紐が通る貫通孔と、旗材の外周から貫通孔に至る切り込みを有する構造であることを特徴とする請求項１に記載のガーランドである。
【手続補正３】
【補正対象書類名】実用新案登録請求の範囲
【補正対象項目名】全文
【補正方法】変更
【補正の内容】
【実用新案登録請求の範囲】
【請求項１】
複数のシート状の旗材を紐で繋いだガーランドにおいて、旗材の頂部と底部に紐を固定できる係止部を有し、底部の係止部は、紐が通る貫通孔と、旗材の外周から貫通孔に至る切り込みを有する構造であることを特徴とするガーランド。
【請求項２】
前記頂部の係止部も、紐が通る貫通孔と、旗材の外周から貫通孔に至る切り込みを有する構造であることを特徴とする請求項１に記載のガーランド。
【請求項３】
前記旗材は、一枚のシート状物を頂部において二つ折りにした、二枚の面材から構成されることを特徴とする請求項１または２に記載のガーランド。
【請求項４】
前記係止部は、前記二つ折りにした旗材の一方の面材の頂部と他方の面材の底部に設けられていることを特徴とする請求項３に記載のガーランド。